(57)【要約】  本発明は、使用者の頭に対して刺激を与える目的でフルードセラピー、及び、色光セラピーを施すものである。特に、本発明は、使用者の頭と頭皮をマサージしてリラックスさせるための加圧水、及び／又は、他の治療流体、及び／又は、治療物質を使い、その際同時に、頭蓋顔面の色光セラピーを施すことを可能にすることにより、頭に対して全体的にリラックスした爽快な刺激的体験を与えるフルードセラピー用のポータブル装置を含む。【選択図】図１
2016537150.tif 000002
【特許請求の範囲】
【請求項１】
ａ．頭を挿入したとき実質的に頭の全てを収納するような、一部分が閉じたキャビネットであって、
ｉ．前記キャビネットの内面に、それぞれが流体分配マニホールドに流体的に接続されるよう設置され、方向の調整が可能な少なくとも２つの流出導管を有し、
ii．前記キャビネットの内面に、前記流体分配マニホールドと流体的に接続されている少なくとも１つの滝栓を更に有する、キャビネットと、
ｂ．吸込ピックアップ導管に流体的に接続された流体貯蔵槽であって、
ｉ．前記吸込ピックアップ導管が、ポンプの吸込み口に流体的に接続され、
ii．前記ポンプの吐出部が、加圧給導管に流体的に接続され、
iii．前記加圧給導管が、前記流体分配マニホールドに流体的に接続されている、流体貯蔵槽と、
ｃ．前記ポンプと電気的に接続されている電源と、
ｄ．電力を前記電源から前記ポンプへ選択的に印加するためのスイッチと、
を備える、頭のための改良されたポータブルリラクゼーションセラピー装置。
【請求項２】
ａ．前記キャビネットの上部、左、及び、右側面は、実質的に透明な材料で形成されており、
ｂ．前記キャビネットの前記上部、左、及び、右側面の実質的に透明な部分のそれぞれの端に沿って多数のＬＥＤが設置され、前記多数のＬＥＤが発光したときに、前記キャビネットの前記上部、左、及び、右側面の実質的に透明な部分が導光として働き、
ｃ．光制御ユニットが前記多数のＬＥＤと電気的に接続されていて、これらを発光させることができ、
ｄ．電源が、前記光制御ユニットに接続され、
ｅ．色彩調整器が前記光制御ユニットと電気的に接続されていて、前記光制御ユニットに前記多数のＬＥＤの色彩を変化させるようにすることができ、
ｆ．強度調整器が前記光制御ユニットと電気的に接続されていて、前記光制御ユニットに前記多数のＬＥＤの強度を変化させるようにすることができる、
請求項１に記載の、頭のための改良されたポータブルリラクゼーションセラピー装置。
【請求項３】
ａ．スタンドによって支えられる治療台であって、
i．多数のクッションを入れるための貯蔵槽と、
ii．前記貯蔵槽の内側面に貼り付けられた多数のライトストリップと、
iii．少なくとも前記貯蔵槽の内面、及び、前記ライトストリップをカバーする導光ライナーと、を更に有し、
iv．前記ライトストリップは、前記光制御ユニットに電気的に接続されていて、前記光制御ユニッットは前記ライトストリップを発光することができる治療台を、更に備える、
請求項２に記載の、頭のための改良されたポータブルリラクゼーションセラピー装置。
【請求項４】
支持具と、カバーとを更に備え、前記カバー下方、及び、前記支持具の上で囲われた空間が、少なくとも２本のアロマ導管によって、前記キャビネットの内部に流体的に接続されている、請求項２に記載の、頭のための改良されたポータブルリラクゼーションセラピー装置。
【請求項５】
前記カバー下方、及び、支持具の上の前記空間内に収納されたアロマセラピー源を更に有する、請求項４に記載の、頭のための改良されたポータブルリラクゼーションセラピー装置。
【請求項６】
前記キャビネットの前記上部の実質的に透明な部分は、多数の貫通孔と、前記上部の実質的に透明な部分の中に設置された多数のＬＥＤが発光するときに導光として作用する能力を有する、上に置かれたピラミッド構造と、を更に有する、請求項２に記載の、頭のための改良されたポータブルリラクゼーションセラピー装置。
【請求項７】
前記上に置かれるピラミッド構造の下方、及び、前記上部の前記実質的に透明な部分の上で囲われる空間が、前記キャビネットに前記多数の貫通孔によって流体的に接続されていることを特徴とする、請求項６に記載の、頭のための改良されたポータブルリラクゼーションセラピー装置。
【請求項８】
前記キャビネットの中に貫通している少なくとも１つのスピーカーを更に有する、請求項２に記載の、頭のための改良されたポータブルリラクゼーションセラピー装置。
【請求項９】
前記キャビネットの前記上部を通して中に貫通する、少なくとも１つのスピーカーを更に有する、請求項２に記載の、頭のための改良されたポータブルリラクゼーションセラピー装置。
【請求項１０】
タブレットコンピュータ支持具を更に有する、請求項２に記載の、頭のための改良されたポータブルリラクゼーションセラピー装置。
【請求項１１】
前記キャビネットの前記上部に貼り付けられたタブレットコンピュータ支持具を更に有する、請求項２に記載の、頭のための改良されたポータブルリラクゼーションセラピー装置。
【請求項１２】
ストーン置場を更に有する、請求項２に記載の、頭のための改良されたポータブルリラクゼーションセラピー装置。
【発明の詳細な説明】
【技術分野】
【０００１】
本願は、２０１３年９月１２日付米国仮出願、第６１/８７７２５０号の利益を享受するものであり、当該出願内容は本明細書に完全に組込まれている。
【０００２】
本発明は、全般的に、頭に対して刺激を与える目的のフルードセラピー及び色光セラピーを施す装置に関する。特に、本発明は、使用者の頭と頭皮をマッサージしてリラックスさせるための加圧水、及び／又は、その他の治療流体、及び／又は、治療物質を使ったフルードセラピーを施しつつ、その間同時に、頭蓋顔面色光セラピーを使用することを可能にすることで頭に対して全般的にリラックスした爽快な刺激体験を与えるためのポータブル装置を含む。
【背景技術】
【０００３】
人の身体に向けられた水の流れのシャワーの中にただ立っているだけで、水に打たれている部分やその周辺には刺激的でリラックスする効果をもたらすことは周知である。従来技術において、１以上の水の流れを身体に当てることに関して多くの発明が周知である。そのような装置は、単に片手で持つ装置（例えば、片手持ちマッサージシャワー）から、使用者の全身を、水、及び／又は、蒸気、及び／又は、空気混入の多数の流れに曝すより複雑な装置（例えば、セラピーシャワーキャビネットや放水機能付ジェットバス）がある。さらに、衝突水の温度のバリエーションが刺激又はリラックス効果を変化させることは周知である。冷水は、一連の感覚を引き起こすが、熱水は別の感覚を引き起こす。
【０００４】
これらの効果は、直接、頭に当てるとき、特に、頭及び首の痛み並びに苦痛の緩和、若しくは、除去の手段として同様に有効である。水の流れは、自然に頭や顔の筋肉内の緊張を緩和するよう作用するので、頭痛に関連するストレスを軽減する。湯又はぬるま湯の噴霧を頭に当てると頭痛を緩和する、という報告もある。その証拠に、冷水の流れを頭皮のより広い範囲に当てると頭皮の温度を下げ、これにより頭皮の血管系を僅かに収縮させる。これが頭痛の緩和を促進すると感じる人がいる。他の治療効果は、頭蓋内血圧を下げることによって、ある種の発作の予防、及び／又は、治療、及び／又は、脳震盪からより速い回復を促進することによって得られるかも知れない。このような効果を得るために、水、及び／又は、他の治療流体、及び／又は、治療物質を、冷たいものから熱いものまでの様々な温度で、頭皮に噴射又は噴霧してもよい。治療流体には、炭酸水、トニック水、及び、収斂剤を含むがこれらに限定されない。治療物質は、氷、入浴用食塩、及び海水塩を含むが、これに限定されない。
【発明の概要】
【発明が解決しようとする課題】
【０００５】
しかしながら、従来技術においては、水、及び／又は、他の治療流体、及び／又は、治療物質の１以上の源泉流れを使用者の頭に、そして頭のみに当てるというような装置は存在しない。従来技術の中で現存する装置を使ってそのような治療にあずかろうとするならば、シャワーを浴びるか又は風呂に浸からなければならない。明らかに、これらの現存する治療法を楽しむために脱服の必要があることが、これらの治療法の不便さに加えられる。
【０００６】
同様に、色光の使用（色光セラピー又は光療法）は、従来技術においては、アーユルヴェータ治療の実施者と光生物学の研究者のどちらにも、１つの治療養成法として周知である。色光セラピーは、安らぎの気分を誘う、又は身体の中の様々な「エネルギ」（すなわち、物理的、感情的、精神的、又は心的）を「均衡させ」、及び/又は、特定の睡眠、皮膚、及び気分の不調を癒す、と様々に信じられている。従来技術においては、シャワーヘッド、全身浴槽、及び色光セラピー装置付きの全身シャワーキャビネットを組合せたような様々の装置が公知であるが、顔と首の範囲における選択的色光セラピーを可能とする装置は公知ではない。したがって、光線療法が眼と頭と頭皮を通じて治療したときのみに効果があるという程度においては、そのような療法を単独で治療するか、又は上述のフルードセラピーと協働で治療する装置は有効であろう。
【０００７】
同様な理由で、１つの治療養成法として、アロマ物質の使用は従来技術ではまた周知である。アロマセラピーは、使用者の気分、又は、認知過程の状態、又は、身体の安らぎを変化させると様々に信じられている。従来技術において、シャワー、浴槽、及び、アロマセラピー付きシャワー室を組合せた様々な装置が公知であるものの、顔と首の範囲における選択的なアロマセラピーを可能とする装置は公知ではない。したがって、アロマセラピーが有効であるという程度では、そのような療法を単独で治療するか、又は、上述の療法と協働で治療する装置は有効であろう。
【０００８】
さらに、フルードセラピー、色光セラピー、及び上述のアロマセラピーの弛緩効果を改善するためには、色光セラピー光源も備えた治療台と一緒に装置を使うのが有効であろう。
【０００９】
したがって、本発明の第１の目的は、水、及び／又は、他の治療用流体、及び／又は、治療物質の、多数の流れを使用者の頭の上に、そして頭のみに当てることによるフルードセラピーの治療をするために用いることができる装置を提供することである。これらの、水、及び／又は、他の治療流体、及び／又は、治療物質の流れは、熱いものから冷たいものまでの様々な温度バリエーションのどれか１つ、または、これらの間のいずれかの組合せで、頭皮と顔の上に残留（デポジット）してもよい。治療流体は、炭酸水、トニック水、及び収斂剤を含むが、これらに限定されない。治療物質は、氷、入浴用食塩、及び、海水塩を含むが、これに限らない。
【００１０】
本発明の第２の目的は、使用者の頭に色光セラピーの治療をするために用いることができる装置を提供することである。そのような色光セラピーは、様々な色彩と強度、つまり独立単色セラピーから、赤、緑、及び青の独立原色光源の強度を変化させることにより得ることができるような色彩の可変色セラピーまでの治療をすることができる。
【００１１】
本発明の第３の目的は、アロマセラピーで治療するのに用いることができる装置を提供することである。
【００１２】
本発明の第４の目的は、装置の色光セラピー効果を高めるための、色光セラピー光源を備えた治療台を提供することである。
【００１３】
本発明の第５の目的は、使用者が治療流体、及び／又は、色光セラピー、及び／又は、アロマセラピーを堪能している間に、同時に、ストーン又はクリスタルセラピーを受けさせることが可能となる装置を提供することである。
【課題を解決するための手段】
【００１４】
装置は、頭を緩く囲むキャビネットからなる。キャビネットは、実質的に透明なプレシガラス又ははめ込みガラスを有する上部支持体と、実質的に透明で、やはり好ましくは、主にプレキシガラス又はガラスで形成される左、及び、右側面パネルからなる。色光セラピーの治療を可能にする電燈又はＬＥＤは、上部支持体を構成しているプレキシガラス、又は、ガラスパネル端の中、並びに、左、及び、右側面パネル後端の中に埋め込まれ、作動すると、上部支持体のプレキシガラス、又は、はめ込みガラス、並びに、左、及び、右側面パネルは導光として作用し、上部支持体のプレキシガラス、又は、はめ込みガラス、並びに、左、及び、右側面パネルを、同時に、所望の色に発光させる。キャビネットの基礎及び後部の構造は矩形であり、基礎は装置を使用する際に、水、及び／又は、治療物質の貯留槽として供される。
【００１５】
装置は、更にポンプを備え、ユニットの基礎の中に貯蔵されている水、及び／又は、治療物質をユニットの後部構造を介して上に連続して循環させ、そこから、水、及び／又は、治療物質は、滝栓を通って使用者の額へ、また、２つの調節可能な流出導管を通って使用者が選択した顔面領域へと流出する。
【００１６】
装置の後部構造の中には、ストーンセラピーで使用することが可能な石、又は、水晶を格納するための空洞が形成される。後部構造の後ろには、アロマセラピー発生ユニット用の支持具とカバーが取り付けられる。アロマ導管は、発生したアロマセラピーを、前記後部構造を介してキャビネットに導く。また、上部支持体の中に設置されたプレキシガラス、又は、はめ込みガラスは、多くの機能を有しており、上部支持体上にもう１つのアロマセラピー発生器を設置することができるようになっている。ピラミッド構造が上部支持体の上に鎮座して、このもう１つのアロマセラピー発生器を収納する。上部支持体の側面と正面には、タブレットコンピュータを入れることが可能な保持具が設置されるので、使用者はフルードセラピー、及び／又は、色光セラピー、及び／又は、アロマセラピーの治療を受けている間に、タブレットコンピュータを使用することが可能となる。また、上部支持体を通して無線又は有線スピーカー、好ましくは、無線ブルートゥーススピーカーが設置され、タブレットコンピュータ、又は、携帯電話、又は、無線メディアストリーマーからの音響を聞き取れるように再生することが可能となる。
【００１７】
使用者は、装置を使用している間は水平に横たわっている必要があるので、治療台が備えられる。治療台は、支持スタンドと、充填空気クッション、若しくは発泡クッションを幾つか、又は、水を収容するための貯蔵槽を有する。貯蔵槽の両側面の内面には、防水ライトストリップ、好ましくは、所望の色に発光するＬＥＤが取り付けられる。貯留槽は、オプション的に色付又は無色透明又は半透明の導光ライナーで覆ってもよく、そうすると、これが導光として作用して、防水ライトストリップの色光セラピー効果を更に高める。
【図面の簡単な説明】
【００１８】
【図１】図１は、頭のための改良されたポータブルリラクゼーションセラピーマッサージ装置の右側面斜視図である。
【図２】図２は、頭のための改良されたポータブルリラクゼーションセラピーマッサージ装置の右後方斜視図である。
【図３】図３は、頭のための改良されたポータブルリラクゼーションセラピーマッサージ装置の正面斜視図である。
【図４】図４は、頭のための改良されたポータブルリラクゼーションセラピーマッサージ装置の上面の右詳細図である。
【図５】図５は、頭のための改良されたポータブルリラクゼーションセラピーマッサージ装置と共に使用するための治療台の上部斜視図である。
【図６】図６は、頭のための改良されたポータブルリラクゼーションセラピーマッサージ装置の一般的な電気、及び、液体処理の構成要素を表示する部分模式図である。
【発明を実施するための形態】
【００１９】
まず、図１乃至６に参照されるように、装置は、頭全体を緩く取り囲むキャビネット１０を有する。キャビネット１０は、全般的に、実質的に不透明な流体貯蔵槽１１、後部構造１３、及び、上部支持体１５、及び、上部支持体１５の中に設置された実質的に透明なプレキシガラス、又は、はめ込みガラス１６、左側面パネル１７、及び、右側面パネル１８からなる。色光セラピーの治療に用いることが可能な多数の電燈又はＬＥＤ１９は、プレキシガラス、又は、はめ込みガラス１６の支持端、並びに、左、及び、右側面パネル、それぞれ１７、及び、１８の後部、並びに、底部端に設置され、作動時は、上部支持体１５内のプレキシガラス、又は、はめ込みガラス１６、左側面パネル１７、及び、右側面パネル１８は導光として作用し、上部支持体１５中のプレキシガラス、又は、はめ込みガラス１６、左側面パネル１７、及び、右側面パネル１８を、同時に、所望の色で発光させる。キャビネット１０の後部構造１３は、全般的に矩形で、実質的に中空の角柱であって、様々なアロマセラピー、及び、フルードセラピーの分配路を格納している。後部構造１３の内部は、ヒンジ付扉１４によってアクセスが可能である。
【００２０】
キャビネット１０の内側面の底の上には、ドレングレート１２があるが、これは防水クッションと共に標準的に装備される。ドレングレート１２は、流体を流体貯蔵槽１１内に排出し、その後、流体は重力によってフィルターマットを介して吸込給導管２２の中へ流れる。後部構造１３内面の上部には、左側と右側に、方向が調整可能な左流出導管２６、及び、右流出導管２７が備えられ、それによって、使用者は調整により個々の水の流れを頭の異なる点に向けることができる。導管は通常は２つで十分であるが、当業者であれば２つ以上供給してもよいことを認識するであろう。同様に、左、及び、右流出導管、それぞれ２６、及び、２７の高さの位置に、好ましくは、左、及び、右流出導管の間に、滝栓２５が設けられる。滝栓２５は、ほぼ連続した水の広がりが水平面に垂直に使用者の額に落ちるようにデザインされる。これは、勿論、そのデザインのみで考えられるものではない。代替えのデザインを持つことは有用であろう。例えば、水が後部構造１３に向けてある角度でもって後方、及び、使用者の額に向くように滝栓を配置することは、大量な水の使用時に飛び散りを制限するのに有用である。これ以外の噴霧／流れのパターンがあり得ることは、直ちに認められるであろう。噴霧、水滴、霧、及び、流れを作るようなすべての組合せは、本開示内容の中に暗示的に含まれる。左流出導管２６、右流出導管２７、及び滝栓２５はそれぞれ次々に後部構造１３の上面の内部に収納されている分配マニホールドに接続される。分配マニホールドは、順繰りにポンプ２１の吐出部に接続されている加圧給導管２０へと次々に接続される。
【００２１】
後部構造１３の中には、ストーンセラピーで使用することができる石、又は、水晶用のストーン置場２８が形成される。ストーン置場２８は、使用者の頭をキャビネット１０の中に挿入したとき、第７の主チャクラ、サハスラーラに寄せられて配置される。適当なストーン、又は、水晶をストーン置場２８に置くことによって、使用者はストーンセラピーを楽しむことができる。
【００２２】
後部構造１３の後部には、支持具５０とカバー５１が取り付けられる。カバー５１の内部に形成される空洞は、アロマセラピー発生装置５２のようなアロマセラピー源を収納するために用いてもよい。左、及び、右アロマ導管、それぞれ５３、及び、５４は、発生したアロマセラピーを、後部構造１３を介してキャビネット１０の中へ導く。
【００２３】
上部支持体１５の中に設置されたプレキシガラス、又は、はめ込みガラス１６は、多数の貫通孔１６ａを有しており、上部支持体１５上にもう１つのアロマセラピー発生装置を置くことが可能となっている。ピラミッド構造６１が上部支持体１５上に置かれて、この第２のアロマセラピー発生装置を収納する。貫通孔１６ａは、発生したアロマセラピーをプレキシガラス、又は、はめ込みガラス１６を介してキャビネット１０内へと導く。
【００２４】
上部支持体１５の側面と正面には、タブレットコンピュータ保持具６２が設けられる。タブレットコンピュータ保持具６２にタブレットコンピュータ６３を置くことが可能となるので、使用者は、フルードセラピー、及び／又は、色光セラピー、及び／又は、アロマセラピーを受けながらタブレットコンピュータ６３を操作することが可能となる。
【００２５】
また、上部支持体１５を通して、無線、又は、有線のスピーカーである防水スピーカー６４、好ましくは、無線ブルートゥーススピーカーが設置され、タブレットコンピュータ６３からの音響を聞き取れるように再生することが可能となる。
【００２６】
骨組構造３０が卓上３１でキャビネット１０を支えている。卓上３１には、吸込給導管２２用の通路に供するドレン孔があって、流体が使用者の頭に吹きかけられると、ドレングレート１２を通じて流体貯蔵槽１１へ排水し、フィルターマットを介して、吸込給導管２２の中へ、その後はポンプ２１の吸込口に排水する。吸込給導管２２には、ポンプ２１へのドレン水の流量を制御するために使用される弁２３が設置される。また、吸込給導管２２には、流体貯蔵槽１１からの使用済みの水を排水するのに用いられるドレンコック２４が設けられる。
【００２７】
ポンプ２１は電源４０に電気的に結線され、ポンプスイッチ４１によって稼働する。使用者がポンプスイッチ４１を操作すると、ポンプ２１に通電して吸込みを開始し、吸込給導管２２によって流体貯蔵槽１１の底から吸い上げられている水、及び／又は、他の治療流体、及び／又は、治療物質は、ポンプ２１を通って加圧給導管２０の中へ、そして分配マニホールドの中、最後には、左流出導管、及び、右流出導管、それぞれ２６、及び、２７、並びに、滝栓２５に達する。水、及び／又は、他の治療流体、及び／又は、治療物質は、使用者の頭上に降り落ち、ドレングレート１２を通って流体貯蔵槽１１の中に流下する。
【００２８】
キャビネット１０内のＬＥＤ１９は、モノクロ（すなわち、包含されるＬＥＤのすべてが同一色）、又は多色（すなわち、それぞれのＬＥＤは様々な色彩を作ることができる）とすることができる。ＬＥＤ１９は、光制御ユニット４２に結線され、これが、電源４０及び２つの調整器：１）強度調整器４３、及び、２）色彩調整器４４に次々に結線される。ＬＥＤ１９がモノクロの場合、使用者は強度調整器４３を操作することで、ＬＥＤ１９が発光する光の強度を一斉に変化させ、それでキャビネット１０内で生じるモノクロ光の強度を変化させる。ＬＥＤ１９が多色の場合、使用者は色彩調整器４４を操作して、光制御ユニット４２にＬＥＤ１９の色を変化させ、キャビネット１０内部に無発光（黒）から赤、緑、紫、白にまで広がる色彩を作り出すようにする。使用者が明るい色を選ぶときは、強度調整器４３を操作して光の強度を薄暗い色から明るい色に変化させるようにする。
【００２９】
プレキシガラス又ははめ込みガラス１６を有する上部支持体１５に、プレキシガラス、又は、ガラスのピラミッド構造６１を装備すると、ピラミッド構造６１は導光として働き、点灯すると、プレキシガラス、又は、はめ込みガラス１６と同じ色と強度でもって発光する。
【００３０】
使用者は装置を使用する際、必ず水平に横たわらなければならないので、治療台７０が設けられる。治療台７０は、通常、支持スタンド７１と、数個のクッション７５、又は、水、及び／又は、治療物質の格納用の脚付貯蔵槽７２とからなる。水、及び／又は、治療物質を用いて使用したときには、ドレン孔７３はセラピーが終了したときに脚付貯蔵槽７２のドレンを排水するのに使用される。ドレン孔７３は、通常の止栓又は弁で閉鎖されてもよい。当業者であれば、クッション７５は空気を充填したもの、又はフォームを内包したビニールでよいことを認識するであろう。脚付貯蔵槽７２の内面には、好ましくはＬＥＤで構成され所望の色彩で発光する防水ライトストリップ７４が貼り付けられる。前述のとおり、ライトストリップ７４を構成するＬＥＤはモノクロ（すなわち、包含されるすべてのＬＥＤが同一色）、又は、多色（すなわち、それぞれのＬＥＤは様々な色彩を作ることができる）とすることができる。また、すでに述べたように、ライトストリップ７４を構成するＬＥＤは、光制御ユニット４２に結線され、キャビネット１０内のＬＥＤ１９と協働する。この手段を用いて、キャビネット１０の中のすべてのＬＥＤ１９、脚付貯蔵槽７２の中でライトストリップ７４を構成するＬＥＤを、望みどおりの色光セラピー光を作るために調整してもよい。脚付貯蔵槽７２は、オプション的に、透明、又は、半透明の導光ライナー７６で覆ってもよく、これによって導光として作用し、防水ライトストリップ７４の色光セラピー効果を更に高める。導光ライナー７６は、適当なガラス、又は、プラスチック材料、好ましくは、プレキシガラス、又は、スチレンで形成されてもよく、また、無色を含む任意の色彩でよい。更に、導光ライナー７６は、脚付貯蔵槽７２の側面の内面のみをカバーしてもよいし、脚付貯蔵槽７２の内面全部をカバーしてもよい。
【００３１】
フルードセラピーを施すための装置を稼働するためには、使用者は、水、及び／又は、治療用流体、及び／又は、治療用物質を流体貯蔵槽１１の中に注ぐ。次に、使用者はクッション７５を脚付貯蔵槽７２の中に置く。その後、使用者は、隣接する治療台７０の上に横たわり、顔を上に向けて頭をキャビネット１０の中に入れる。そして、使用者は頭を防水クッションの上に置き、ポンプスイッチ４１によってポンプ２１を稼働させ、左及び右流出導管、それぞれ２６、及び、２７、並びに、滝栓２５を介して使用者の頭皮と顔に排出される流体貯蔵槽１１の中にある水、及び／又は、治療用流体、及び／又は、その他の治療物質の、刺激的で爽快な流れを楽しむ。水、及び／又は、治療流体、及び／又は、その他の治療物質は、その後、ドレングレート１２を介して流体貯蔵槽１１の中へ排水し、フィルターマットを介し、ここでは重力によって、吸込給導管２２内に移動してポンプ２１に排水する。ポンプ２１は、加圧給導管２０を介して水、及び／又は、治療流体、及び／又は、その他の治療物質を加圧して、内部に取り付けられている分配マニホールドの中に導き、そこから左、及び、右流出導管、それぞれ２６、及び、２７、並びに、滝栓２５を通過させてプロセスを繰り返すようにする。
【００３２】
色光セラピーを施すための装置を稼働するために（装置が多色ＬＥＤ１９及びライトストリップ７４で装備される場合）、使用者は隣接する治療台７０の上に横たわり、顔を上に向けて頭をキャビネット１０の中に入れる。そして、使用者は頭を防水クッションの上に置き、色彩調整器４４及び強度調整器４３を操作することによって、光制御ユニット４２を作動させ、キャビネット１０及び脚付貯蔵槽７２の内部に所望の色彩と強度の色光を作る。
【００３３】
フルードセラピーを施すための装置を稼働するために、使用者は、水、及び／又は、治療用流体、及び／又は、治療用物質を流体貯蔵槽１１に注ぐ。次に、使用者はクッション７５を脚付貯蔵槽７２の中に置く。その後、使用者は隣接する治療台７０の上に横たわり、顔を上に向けて、頭をキャビネット１０の中に入れる。そして、使用者は頭を防水クッションの上に置き、ポンプスイッチ４１によってポンプ２１を作動させ、左及び右流出導管、それぞれ２６及び２７及び滝栓２５を介して使用者の頭皮と顔に排出される流体貯蔵槽１１の中にある水、及び／又は、治療用流体、及び／又は、その他の治療物質の刺激的で爽快な流れを楽しむ。水、及び／又は、治療流体、及び／又は、治療物質は、その後、ドレングレート１２を介して流体貯蔵槽１１の中へ排水し、フィルターマットを介し、ここでは重力によって吸込給導管２２の中に移動してポンプ２１に排水する。ポンプ２１は、加圧給導管２０を介して、水、及び／又は、治療流体、及び／又は、その他の治療物質を加圧して、内部に取り付けられている分配マニホールドの中へ導き、そこから左及び右流出導管、それぞれ２６、及び、２７、並びに、滝栓２５を通過させてプロセス繰り返すようにする。同時に、色光セラピーを施すための装置を稼働するために（装置が多色ＬＥＤ１９及びライトストリップ７４で装備される場合）、使用者は、色彩調整器４４及び強度調整器４３操作することによって、光制御ユニット４２を作動させ、キャビネット１０及び脚付貯蔵槽７２の内部に所望の色彩と強度を有する色光を作る。
【００３４】
他の実施形態においては、流体貯蔵槽１１の中の水、及び／又は、治療流体、及び／又は、治療物質を加熱、及び／又は、冷却するための電気装置を、流体貯蔵槽１１、吸込給導管２２、又は、加圧給導管２０の中に設置してもよい。
【００３５】
他の実施形態においては、紫外線電燈、又は、他の何らかの手段であって、流体貯蔵槽１１の中の水、及び／又は、治療流体、及び／又は、治療物質を殺菌するものを、流体貯蔵槽１１、吸込給導管２２、又は加圧給導管２０の中に設置してもよい。
【００３６】
他の実施形態においては、空気又は他の気体をキャビネット１０に受け入れるための換気口が設けられている。空気は、任意の従来的手段、すなわちファン、又は、ブロワによって供給されてもよく、また、電気加熱エレメントによって暖められ、又は空気冷蔵システムによって冷却されてもよい。更に、キャビネット１０内の大気環境を変えるために、換気空気には酸素や他の圧縮ガスを混合させてもよい。
【００３７】
他の実施形態においては、流体貯蔵槽１１が装置の外に移されていて、キャビネット１０とは給水導管によって連絡し、流体貯蔵槽１１の中の水、及び／又は、他の治療流体、及び／又は、治療物質が、重力によって使用者の頭の上に排出するようにしてもよい。この実施形態においては、使用者の頭の上に排出された水、及び／又は、他の治療流体、及び／又は、治療物質は、装置から直接排水されて適当な床排水路に排水する。
【００３８】
本発明に関して、最も実用的かつ好ましいと考えられる実施例について述べたが、本発明は、開示された実施例、変形例、及び、補助変形例に限定されるものでないと理解すべきであり、それどころか開示の精神と範囲に含まれる様々な修正と等価なアレンジメントをカバーすることを意図している。例えば、上部支持体１５内のプレキシガラス又ははめ込みガラス１６は、「無限鏡」であってもよく、そうすると、上部支持体１５内のプレキシガラス又ははめ込みガラス１６の端に設置されたＬＥＤ１９の多数の反射を知覚することができるかも知れない。同様に、ＬＥＤ１９及びライトストリップ７４の光線療法効果は、キャビネット１０内部の、又は、これと一緒に使用される１以上の技巧機械を含めることによって高められる可能性があるのは、直ちに明らかになるであろう。例えば、使用者が選択できる、又は外部から制御できる色光光源を装備した泡発生装置又は水蒸気発生装置を、光線療法効果を増幅するために使用してもよい。
【図１】
2016537150.tif 000003
【図２】
2016537150.tif 000004
【図３】
2016537150.tif 000005
【図４】
2016537150.tif 000006
【図５】
2016537150.tif 000007
【図６】
2016537150.tif 000008
【国際調査報告】
2016537150.tif 000009